(57)【要約】【課題】基盤に対する固定強度が高く、基盤からの抜けや回転を確実に防止し得るとともに、基盤に形成された孔に沿って確実に垂直に打ち込むことができ、樹脂製基盤に割れや白濁を生じさせることがない弾球遊技機用釘及び弾球遊技機の基盤構造を提供すること。【解決手段】頭部と軸部とを備え、該軸部が弾球遊技機の基盤に形成されたテーパ孔に打ち込まれて遊技球の流路を形成する弾球遊技機用釘であって、前記軸部は、先端に向けて先細りとなるテーパ部を有し、該テーパ部は、その基端部と先端部とに前記テーパ孔の内面に密接する密接部を有するとともに、該基端部と先端部との間に前記テーパ孔の内面に食い込む食い込み部を有することを特徴とする弾球遊技機用釘とする。【選択図】図１
2007306949.tif 000002
【特許請求の範囲】
【請求項１】
頭部と軸部とを備え、該軸部が弾球遊技機の基盤に形成されたテーパ孔に打ち込まれて遊技球の流路を形成する弾球遊技機用釘であって、
前記軸部は、先端に向けて先細りとなるテーパ部を有し、
該テーパ部は、その基端部と先端部とに前記テーパ孔の内面に密接する密接部を有するとともに、該基端部と先端部との間に前記テーパ孔の内面に食い込む食い込み部を有することを特徴とする弾球遊技機用釘。
【請求項２】
前記食い込み部が、先端に向けて前記テーパ孔と略同じ傾きをもって縮径する第一の円錐台状部と、先端に向けて前記テーパ孔よりも大きい傾きをもって縮径する第二の円錐台状部とを軸方向に交互に備えていることを特徴とする請求項１記載の弾球遊技機用釘。
【請求項３】
先端部の密接部の軸方向長さと、基端部の密接部の軸方向長さと、第一の円錐台状部の軸方向長さが、この順番に大きいことを特徴とする請求項２記載の弾球遊技機用釘。
【請求項４】
基端部の密接部の軸方向長さが、先端部の密接部の軸方向長さ及び第一の円錐台状部の軸方向長さよりも大きいことを特徴とする請求項２記載の弾球遊技機用釘。
【請求項５】
前記食い込み部が、螺旋状に形成された突条を備えていることを特徴とする請求項１記載の弾球遊技機用釘。
【請求項６】
前記突条の一部分に略Ｖ字状の切欠が形成されていることを特徴とする請求項５記載の弾球遊技機用釘。
【請求項７】
前記食い込み部に、軸方向の溝が形成されていることを特徴とする請求項１乃至６いずれかに記載の弾球遊技機用釘。
【請求項８】
頭部と軸部とを備えた弾球遊技機用釘と、該弾球遊技機用釘の軸部が打ち込まれるテーパ孔を備えた基盤とからなり、
前記弾球遊技機用釘は、その軸部に、先端に向けて先細りとなるテーパ部を有し、
該テーパ部は、その基端部と先端部とに前記テーパ孔の内面に密接する密接部を有するとともに、該基端部と先端部との間に前記テーパ孔の内面に食い込む食い込み部を有し、
前記基盤は、合成樹脂成型によりテーパ孔が成形されてなることを特徴とする弾球遊技機の基盤構造。
【発明の詳細な説明】
【技術分野】
【０００１】
本発明は、パチンコ機等の弾球遊技機において基盤に打ち込まれて遊技球の流路を形成するための弾球遊技機用釘及びこの釘と基盤とからなる弾球遊技機の基盤構造に関するものである。
【背景技術】
【０００２】
パチンコ機等の弾球遊技機においては、基盤に形成された孔に打ち込まれた多数本の釘によって遊技球の流路が形成されている。
このように基盤に打ち込まれた釘は、遊技球の衝突や、釘の調整の為にハンマーにより加えられる外力により与えられる衝撃力によって回転したり、基盤から抜け落ちたりすることが無いように、基盤に対して強固に固定される必要がある。
【０００３】
そのため、従来より基盤に対する釘の固定強度を高めるための技術が数多く提案されており、例えば、下記特許文献１には、基盤に対して打ち込まれる打ち込み挿入部に、稜部の高さが異なる複数種類の螺旋体を混在させてなる多重螺旋部を設けた遊技釘が開示されている。
【０００４】
下記特許文献１の開示技術によれば、従来の釘に比べると基盤に対する固定強度を高めることができるものの、打ち込みの際の抵抗が大きくなるため、基盤に形成された孔に沿って垂直に打ち込むことが容易ではないという問題があった。また、打ち込みの際に、樹脂製の基盤に割れや白濁を生じさせるおそれがあった。
【０００５】
また、従来の弾球遊技機の基盤、特に樹脂製の基盤においては、釘を打ち込むために形成される孔は、ドリルにより形成されていたため、ストレート孔となっていた。そのため、打ち込まれる釘を孔に沿って良好にガイドすることができず、釘を垂直に打ち込むことを困難とし、打ち込みの際に樹脂製の基盤に割れや白濁を生じさせる原因となっていた。また、ドリルによる穿孔加工の際にも基盤に割れや白濁が生じるおそれがあった。
【０００６】
【特許文献１】特開２０００−８４１６２号公報
【発明の開示】
【発明が解決しようとする課題】
【０００７】
本発明は上記した従来技術の問題点を解決すべくなされたものであって、基盤に対する固定強度が高く、基盤からの抜けや回転を確実に防止し得るとともに、基盤に形成された孔に沿って確実に垂直に打ち込むことができ、樹脂製基盤に割れや白濁を生じさせることがない弾球遊技機用釘及び弾球遊技機の基盤構造を提供せんとするものである。
【課題を解決するための手段】
【０００８】
請求項１に係る発明は、頭部と軸部とを備え、該軸部が弾球遊技機の基盤に形成されたテーパ孔に打ち込まれて遊技球の流路を形成する弾球遊技機用釘であって、前記軸部は、先端に向けて先細りとなるテーパ部を有し、該テーパ部は、その基端部と先端部とに前記テーパ孔の内面に密接する密接部を有するとともに、該基端部と先端部との間に前記テーパ孔の内面に食い込む食い込み部を有することを特徴とする弾球遊技機用釘に関する。
【０００９】
請求項２に係る発明は、前記食い込み部が、先端に向けて前記テーパ孔と略同じ傾きをもって縮径する第一の円錐台状部と、先端に向けて前記テーパ孔よりも大きい傾きをもって縮径する第二の円錐台状部とを軸方向に交互に備えていることを特徴とする請求項１記載の弾球遊技機用釘に関する。
【００１０】
請求項３に係る発明は、前記密接部の先端部の軸方向長さと、前記密接部の基端部の軸方向長さと、第一の円錐台状部の軸方向長さが、この順番に大きいことを特徴とする請求項２記載の弾球遊技機用釘に関する。
【００１１】
請求項４に係る発明は、前記密接部の基端部の軸方向長さが、前記密接部の先端部の軸方向長さ及び第一の円錐台状部の軸方向長さよりも大きいことを特徴とする請求項２記載の弾球遊技機用釘に関する。
【００１２】
請求項５に係る発明は、前記食い込み部が、螺旋状に形成された突条を備えていることを特徴とする請求項１記載の弾球遊技機用釘に関する。
【００１３】
請求項６に係る発明は、前記突条の一部分に略Ｖ字状の切欠が形成されていることを特徴とする請求項５記載の弾球遊技機用釘に関する。
【００１４】
請求項７に係る発明は、前記食い込み部に、軸方向の溝が形成されていることを特徴とする請求項１乃至６いずれかに記載の弾球遊技機用釘に関する。
【００１５】
請求項８に係る発明は、頭部と軸部とを備えた弾球遊技機用釘と、該弾球遊技機用釘の軸部が打ち込まれるテーパ孔を備えた基盤とからなり、前記弾球遊技機用釘は、その軸部に、先端に向けて先細りとなるテーパ部を有し、該テーパ部は、その基端部と先端部に前記テーパ孔の内面に密接する密接部を有するとともに、該基端部と先端部との間に前記テーパ孔の内面に食い込む食い込み部を有し、前記基盤は合成樹脂成型によりテーパ孔が成形されてなることを特徴とする弾球遊技機の基盤構造に関する。
【発明の効果】
【００１６】
請求項１に係る発明によれば、弾球遊技機用釘の軸部に設けられた密接部が、基盤への打ち込み時にテーパ孔に沿って密接することによって、テーパ孔に対する傾き防止（心出し）の作用と、弾球が釘に衝突した際の弛み防止の作用を発揮する。また、食い込み部がテーパ孔に食い込むことによって、テーパ孔からの抜け止め防止作用を発揮する。これにより、基盤に対する固定強度が高く、基盤からの抜けや回転を確実に防止し得るとともに、基盤に形成された孔に沿って容易に垂直に打ち込むことができ、樹脂製基盤に割れや白濁を生じさせることがない弾球遊技機用釘となる。
【００１７】
請求項２に係る発明によれば、食い込み部が、先端に向けてテーパ孔と略同じ傾きをもって縮径する第一の円錐台状部と、先端に向けてテーパ孔よりも大きい傾きをもって縮径する第二の円錐台状部とを軸方向に交互に備えていることにより、第一の円錐台状部がテーパ孔に食い込んだときに、基盤材料を第二の円錐台状部とテーパ孔内面との間の空間に逃がすことが可能となり、逃げた材料がこの空間に充填されることで抜け止め作用を高めることができる。
【００１８】
請求項３に係る発明によれば、先端部の密接部の軸方向長さと、基端部の密接部の軸方向長さと、第一の円錐台状部の軸方向長さが、この順番に大きいことにより、基盤材料が釘頭部方向に凸に湾曲することが防がれる。
【００１９】
請求項４に係る発明によれば、基端部の密接部の軸方向長さが、先端部の密接部の軸方向長さ及び第一の円錐台状部の軸方向長さよりも大きいことにより、安定した抜け止め機能が発揮される。
【００２０】
請求項５に係る発明によれば、食い込み部が、螺旋状に形成された突条を備えていることにより、釘を回転させながら基盤のテーパ孔に打ち込むことができる。そのため、打ち込み荷重の低減を図ることができると同時に、樹脂製基盤の孔部からの破壊や白濁も防ぐことができる。
【００２１】
請求項６に係る発明によれば、突条の一部分に略Ｖ字状の切欠が形成されていることにより、突条が基盤のテーパ孔に食い込んだ時に、基盤材料が切欠に入り込むことによって、基盤からの抜け止め抵抗や回り止め抵抗を高めることができる。
【００２２】
請求項７に係る発明によれば、食い込み部に軸方向の溝が形成されていることにより、基盤からの抜け止め抵抗や回り止め抵抗を高めることができる。
【００２３】
請求項８に係る発明によれば、特定形状の弾球遊技機用釘と基盤に形成されたテーパ孔形状との組み合わせによって、基盤に対する固定強度が高く、基盤からの抜けや回転を確実に防止し得るとともに、基盤に形成された孔に沿って容易に垂直に打ち込むことができる弾球遊技機用釘を備えた基盤構造が得られる。また、基盤は、合成樹脂成型によってテーパ孔が成形されているため、ドリル穿孔の場合に比べて樹脂製基盤の破損が少なく且つ高精度の孔が得られる。
【発明を実施するための最良の形態】
【００２４】
以下、本発明に係る弾球遊技機用釘及び弾球遊技機の基盤構造の好適な実施形態について、図面を参照しつつ説明する。
図１は本発明に係る弾球遊技機用釘の第一実施形態を示す正面図であり、図２は本発明に係る弾球遊技機用釘が打ち込まれる基盤を示す部分拡大断面図、図３は第一実施形態の弾球遊技機用釘が打ち込まれる手前の状態の基盤を示す部分拡大断面図である。
【００２５】
本発明に係る弾球遊技機用釘（１）は、パチンコ機等の弾球遊技機の基盤（２０）に形成されたテーパ孔（２１）に打ち込まれて遊技球の流路を形成するものであって、打ち込み力が加えられる頭部（２）と、基盤に形成されたテーパ孔に挿入される軸部（３）とを備えている。
【００２６】
軸部（３）は、頭部（２）の下方に連続して形成された円柱状のストレート部（４）と、該ストレート部（４）の下方に連続して形成され先端に向けて先細りとなるテーパ部（５）とを有している。尚、図示例では、軸部（３）の先端面は平面とされているが、球面状等の他の形状であってもよい。
【００２７】
テーパ部（５）は、その基端部と先端部に、打ち込まれた際に基盤（２０）のテーパ孔（２１）の内面に密接する密接部（６）を夫々有している。また、該基端部と先端部との間（即ち２つの密接部（６）の間）に、打ち込まれた際に基盤（２０）のテーパ孔（２１）の内面に食い込む食い込み部（７）を有している。
【００２８】
２つの密接部（６）は、基盤（２０）のテーパ孔（２１）と略同じ傾きのテーパを有する円錐台状に形成されている。そして、これら２つの密接部の側周面（テーパ面）は、図３中に仮想線（Ｋ）で示すように、テーパ孔（２１）の内テーパ面と略同じ傾きをもつ同一直線上にある。
【００２９】
食い込み部（７）は、先端に向けてテーパ孔（２１）と略同じ傾きをもって縮径する第一の円錐台状部（８）と、先端に向けてテーパ孔（２１）よりも大きい傾きをもって縮径する第二の円錐台状部（９）とを軸方向に交互に備えている。
第一の円錐台状部（８）及び第二の円錐台状部（９）は、少なくとも２つ以上形成される。
【００３０】
このようにテーパ傾きの異なる第一の円錐台状部（８）と第二の円錐台状部（９）とを軸方向に交互に備えていることにより、釘（１）がテーパ孔（２１）に打ち込まれた際に、釘（１）の食い込み部（７）とテーパ孔（２１）の内面との間に空間が形成される。この空間は、第一の円錐台状部（８）がテーパ孔（２１）の内面に食い込んだときに、テーパ孔の変形部分や削られる基盤材料を受け入れることができ、これにより抜け止め作用が高められる。
【００３１】
食い込み部（７）の第一の円錐台状部（８）の側周面（テーパ面）の外径は、２つの密接部（６）の側周面（テーパ面）を繋ぐ仮想線（Ｋ）（図３参照）に沿う大きさ若しくは該仮想線（Ｋ）から僅かに突出する大きさに形成されている。
【００３２】
先端部の密接部（６）の軸方向長さ（Ｌ１）と、基端部の密接部（６）の軸方向長さ（Ｌ２）と、第一の円錐台状部（８）の軸方向長さ（Ｌ３）は、全て同じとしてもよいが、Ｌ１＞Ｌ２＞Ｌ３の順番に大きく設定することが好ましい。
このように設定することにより、弾球遊技機用釘を基盤のテーパ孔に打ち込んだときに、釘（１）の先端がテーパ孔（２１）に沿ってスムーズにガイドされ、基盤材料が釘の頭部方向に凸に湾曲することが防がれる。
【００３３】
また、上記した３つの軸方向長さ（Ｌ１，Ｌ２，Ｌ３）を、Ｌ２＞Ｌ１＝Ｌ３という関係に設定する構成も好ましく採用できる。
このように設定することにより、テーパ孔（２１）の最も内径が大きい入口部分において、基端部の密接部（６）が広い面積で密接することになり、安定した抜け止め機能が発揮される。
【００３４】
図４は本発明に係る弾球遊技機用釘の第二実施形態を示す正面図であり、図５は第二実施形態の弾球遊技機用釘が打ち込まれる手前の状態の基盤を示す部分拡大断面図である。
第二実施形態に係る弾球遊技機用釘は、食い込み部（７）の構成のみが第一実施形態と異なっており、密接部（６）の構成等の他の構成は同じであるため、同じ構成には同じ符号を付して説明を省略する。
【００３５】
第二実施形態に係る弾球遊技機用釘は、食い込み部（７）が、螺旋状に形成された突条（１０）を備えている。図において、符号（１１）で示される線は、突条と突条の間に形成された谷を示している。
食い込み部（７）は、先端に向けてテーパ孔（２１）と略同じ傾きをもって縮径しており、突条（１０）の外径は、２つの密接部（６）の側周面（テーパ面）を繋ぐ仮想線（Ｋ）（図５参照）から僅かに突出する大きさに形成されている。
【００３６】
図６は、突条（１０）の稜線に沿った拡大断面図を示している。
第二実施形態においては、図示のように、突条（１０）の一部分に略Ｖ字状の切欠（１２）を形成することができる。
切欠（１２）は、谷（１１）の深さよりも浅く形成されている。また、Ｖ字の傾き（稜線に対する傾き）は頭部側において緩やかな傾き、先端部側において急な傾きとなるように形成されている。
このように形成された切欠（１２）は、突条（１０）が基盤（２０）のテーパ孔（２１）に食い込んだ時に、基盤材料が切欠に入り込むことによって、基盤からの抜け止め抵抗や回り止め抵抗を高める作用を発揮する。
【００３７】
上記した第一及び第二実施形態において、図７及び図８に示すように、食い込み部（７）に軸方向の溝（１３）を形成することができる。図７は第一実施形態において溝（１３）を設けた例、図８が第二実施形態において溝（１３）を設けた例である。
溝（１３）は、少なくとも１つ設ければよいが、２つ以上設けることも可能である。また、溝（１３）の断面形状については、Ｖ字形、Ｕ字形、凹形、半円形などの任意の形状とすることができる。
このように、食い込み部に軸方向に延びる溝を形成することにより、基盤からの抜け止め抵抗や回り止め抵抗を高めることができる。
【００３８】
基盤（２０）は、透明アクリル樹脂やポリカーボネート等の合成樹脂を、射出成型等の金型を用いた成形方法により成型した成型品からなり、テーパ孔（２１）も成型時に形成される。
このように、本発明において用いられる基盤（２０）は、合成樹脂成型によってテーパ孔（２１）が成形されているため、ドリル穿孔により形成されたテーパ孔に比べて高精度の孔となり、またテーパ孔の形成時に割れ等の損傷が生じることがない。
基盤（２０）に形成されるテーパ孔（２１）は、貫通孔でもよいし、非貫通孔でもよい。また、その角度（θ）は４〜６°とすることが好ましい。
【産業上の利用可能性】
【００３９】
本発明は、パチンコ機等の弾球遊技機に利用されるものである。
【図面の簡単な説明】
【００４０】
【図１】本発明に係る弾球遊技機用釘の第一実施形態を示す正面図である。
【図２】本発明に係る弾球遊技機用釘が打ち込まれる基盤を示す部分拡大断面図である。
【図３】第一実施形態の弾球遊技機用釘が打ち込まれる手前の状態の基盤を示す部分拡大断面図である。
【図４】本発明に係る弾球遊技機用釘の第二実施形態を示す正面図である。
【図５】第二実施形態の弾球遊技機用釘が打ち込まれる手前の状態の基盤を示す部分拡大断面図である。
【図６】突条の稜線に沿った拡大断面図を示している。
【図７】第一実施形態において、食い込み部に軸方向の溝を形成した例を示す正面図である。
【図８】第二実施形態において、食い込み部に軸方向の溝を形成した例を示す正面図である。
【符号の説明】
【００４１】
１      弾球遊技機用釘
２      頭部
３      軸部
５      テーパ部
６      密接部
７      食い込み部
８      第一の円錐台状部
９      第二の円錐台状部
１０    突条
１２    切欠
１３    溝
２０    基盤
２１    テーパ孔
【図１】
2007306949.tif 000003
【図２】
2007306949.tif 000004
【図３】
2007306949.tif 000005
【図４】
2007306949.tif 000006
【図５】
2007306949.tif 000007
【図６】
2007306949.tif 000008
【図７】
2007306949.tif 000009
【図８】
2007306949.tif 000010